(57)【要約】【課題】容器を掴持した片手の指先の操作により、注出ノズルを下降して内容液を注出する注出容器において、構造が簡単で、かつ容易に操作することが可能な誤動作防止機構の創出を技術的課題とする。【解決手段】開閉機能付きの注出ノズルを起立させた容器体と、この注出ノズルを上方に突出させた状態で、容器体の上端部に外嵌する装着体と、下面に注出ノズルが密嵌する段付き孔と上面に注出口を開設した注出路を内部に形成し、前部に操作片を垂下設し、後部をヒンジ結合部を介して装着体の後部上端部に組付け結合した操作体を有すること、操作片の内側面基端部近傍に突片を突設すると共に、操作体の操作片基端部近傍から片面を突片の先端部に近接対向位置させた状態で板状の当接片を垂下設すること、当接片下端面の装着体上端部に形成された段差部上端面への当接により操作体の傾動下降を不能に、また、操作片の押圧により、突片を介して当接片を押圧し、この当接片の段差部上端面への当接を解除して、操作体の傾動下降を可能に構成すること、にある。【選択図】              図６
2005014977.tif 000002
【特許請求の範囲】
【請求項１】
開閉機能付きの注出ノズル（５３）を起立させた容器体（５１）と、該注出ノズル（５３）を上方に突出させた状態で、容器体（５１）の上端部に外嵌する装着体（３１）と、下面に前記注出ノズル（５３）が密嵌する段付き孔（２３）と上面に注出口を開設した注出路（２４）を内部に形成し、前部に操作片（１７）を垂下設し、後部をヒンジ結合部（３９）を介して前記装着体（３１）の後部上端部に組付け結合した操作体（２０）を有し、前記操作片（１７）の内側面基端部近傍に突片（１８ａ）を突設すると共に、操作体（２０）の前記操作片（１７）基端部近傍から片面を突片（１８ａ）の先端部に近接対向位置させた状態で板状の当接片（１８ｂ）を垂下設し、前記当接片（１８ｂ）下端面（１８ｃ）の前記装着体（３１）上端部に形成された段差部（３３）上端面への当接により操作体（２０）の傾動下降を不能に、また、前記操作片（１７）の押圧により、前記突片（１８ａ）を介して前記当接片（１８ｂ）を押圧して該当接片（１８ｂ）下端面（１８ｃ）の段差部（３３）上端面への当接を解除して、操作体（２０）の傾動下降を可能に構成した注出容器。
【請求項２】
装着体（３１）の上端に、注出ノズル（５３）が突出する開口部（３５）を中央に開設した頂壁（３４ａ）を設け、該開口部（３５）の開口縁を段差部（３３）として、組み立て状態で当接片（１８ｂ）下端面（１８ｃ）を、前記頂壁（３４ａ）上面の開口部（３５）の開口縁直近位置に近接対向位置するように構成した請求項１記載の注出容器。
【請求項３】
装着体（３１）の上端に、注出ノズル（５３）が突出する開口部（３５）を中央に開設した頂壁（３４ａ）を設け、該頂壁（３４ａ）上面に突条片（３３ａ）を付設し、該突条片（３３ａ）を段差部（３３）として、組み立て状態で当接片（１８ｂ）下端面（１８ｃ）を、前記突条片（３３ａ）上端面に近接対向位置するように構成した請求項１記載の注出容器。
【請求項４】
容器体（５１）をエアゾール式とした、請求項１、２または３記載の注出容器。
【請求項５】
左右に並列に隣接組み合わせた一対の容器体（５１）を用い、装着体（３１）が前記一対の容器体（５１）の上端部に外嵌し、注出路（２４）に一対の注出ノズル（５３）が密嵌する一対の段付き孔（２３）を開設した構成とした請求項１、２、３または４記載の注出容器。
【請求項６】
注出口を形成する注出筒（２８）に混合棒片（２９）を起立設する構成とした、請求項５記載の注出容器。
【請求項７】
１ケの容器体（５１）を用いる構成とした請求項１、２、３または４記載の注出容器。
【請求項８】
多数の櫛歯片（１ａ）を立設し前記操作体（２０）の注出路（２４）の注出口に連通した開口を有する櫛体（１）を操作体（２０）に、取り付けた請求項１、２、３、４、５、６または７記載の注出容器。
【請求項９】
注出路（２４）の注出口に連通した開口を有する短筒状の嵌合筒片（１３ｃ）を操作体（２０）に取り付け、該嵌合筒片（１３ｃ）に塗布体（２）を組付け固定した請求項１、２、３、４、５、６または７記載の注出容器。
【発明の詳細な説明】
【０００１】
【発明の属する技術分野】
本発明は、容器を掴持した片手の指先の操作により注出ノズルを有した容器から内容液を注出する注出容器に関するものである。
【０００２】
【従来の技術】
例えば、或る種の染毛剤のように、２種の薬液を使用時に一緒に注出するタイプのもので、薬液を個々にエアゾール式容器に収納し、使用時に、この一対のエアゾール式容器から内容液である薬液を同時に噴出させると共に、この噴出した薬液を一緒に一か所から注出する容器として、特許文献１あるいは特許文献２に開示された技術がある。
【０００３】
特許文献１に記載の従来技術は、薬液を収納した一対のエアゾール式容器と、この一対のエアゾール式容器を並列に隣接して収納する有底の収納ケースと、この収納ケースの上端開口部を塞ぐ形態でヒンジ結合され、下面に各エアゾール式容器の注出ノズルが密嵌入して突き当たる段付き孔と、上面に吐出口と、そして両段付き孔と吐出口とを連通させる案内路とを形成したガイド部材の前端に、収納ケースの外側の前下方に垂下した押動レバーを連設した可動カバーと、から構成されている。
【０００４】
この従来技術にあっては、容器を掴持した片手の指で押動レバーを収納ケース側に押圧することにより、ヒンジ結合部を軸としてガイド部材を傾動下降させ、これにより一対のエアゾール式容器の注出ノズルを同時に押し下げて開放し、両エアゾール式容器の薬液を、段付き孔、案内路そして吐出口を経て、一緒に吐出するので、一つの押動レバーに対する簡単な押圧操作により、二つのエアゾール式容器の内容液を、同時にかつ一緒にした状態、すなわちそのまま使用することのできる状態で吐出する、と云う優れた効果を発揮する。
【０００５】
また、吐出口に様々な形状の櫛体、塗布体等を取り付けて使用され、たとえば内容液を直接櫛歯間に注出して、櫛体で頭髪を梳くことにより、注出した内容液をそのまま頭髪に塗布することができる。
【０００６】
【特許文献１】
特開平４−１０２５６９号公報
【特許文献２】
特開平１１−５８７
【０００７】
【発明が解決しようとする課題】
上記した従来技術は、収納ケースと可動カバーのヒンジ結合部を支点、可動カバーのヒンジ結合部と反対側に付設した押動レバーの下端部を力点、可動カバーに付設した段付き孔を作用点とした梃子の原理で可動カバーを傾動させ、エアゾール式容器の注出ノズルを押し下げ、開放しよとするものである。
【０００８】
しかしながら、吐出口への櫛体、塗布体等の取り付けの際に可動カバーを下方に押してしまう等の誤操作により内容液を注出してしまう場合があり、構造、および操作が簡単で、誤操作を確実に防止する機構を有した容器が要望されている。
【０００９】
そこで、本発明は、上記した従来技術における問題点を解消すべく創案されたもので、容器を掴持した片手の指先の操作により、注出ノズルを下降して内容液を注出する注出容器においての、構造が簡単で、かつ容易に操作することが可能な誤動作防止機構を創出することを技術的課題とし、もって注出操作性が良好で、誤動作のない安全性の高い注出容器を提供することを目的とする。
【００１０】
【課題を解決するための手段】
上記技術的課題を解決する本発明の内、請求項１記載の発明の手段は、
開閉機能付きの注出ノズルを起立させた容器体と、
この注出ノズルを上方に突出させた状態で、容器体の上端部に外嵌する装着体と、
下面に注出ノズルが密嵌する段付き孔と上面に注出口を開設した注出路を内部に形成し、前部に操作片を垂下設し、後部をヒンジ結合部を介して装着体の後部上端部に組付け結合した操作体を有すること、
操作片の内側面基端部近傍に突片を突設すると共に、操作体の操作片基端部近傍から片面を突片の先端部に近接対向位置させた状態で板状の当接片を垂下設すること、
当接片下端面の装着体上端部に形成された段差部上端面への当接により操作体の傾動下降を不能に、
また、操作片の押圧により、突片を介して当接片を押圧してこの当接片下端面の段差部上端面への当接を解除して、操作体の傾動下降を可能に構成すること、
にある。
【００１１】
請求項１記載の上記構成の注出容器は容器体、装着体、操作体の各部材を有し、下に示すように各部材が組み付けられ、一体として使用される。
すなわち、
１．装着体を容器体の上端部に上方から外嵌して、装着体を容器体に組付け固定する。
２．装着体から上方に突出する容器体の注出ノズルを段付き孔に密嵌入して、操作体を上下方向への揺動可能に容器体に組付け固定する。
３．２と共に、ヒンジ結合部を介して、操作体の後部を装着体の後部上端部に組付け結合する。
【００１２】
上記のように各部材を組付けた状態で、操作片は容器の前面位置で、装着体および容器の外表面に沿って垂下設された状態であり、操作体の操作片基端部近傍から垂下設された板状の当接片の下端面が装着体の上端部に形成された段差部上端面に近接対向位置した状態である。
【００１３】
この状態で、たとえば操作体を誤って上から押したり、操作体に櫛体あるいは塗布体等を取り付ける際に操作体に大きな力が下方に作用しても、上記した当接片の下端面が装着体の段差部上端面に当接するので、これら誤動作による操作体の下降、すなわち注出ノズルの押圧による内容液の注出を確実に防ぐことができる。
【００１４】
また、容器を掴持した片手の親指で操作片を押圧すると、この押圧部を力点、ヒンジ結合部を支点、段付き孔と注出ノズルの嵌合部を作用点とした梃子の原理で、操作体が前方に傾動変位する。
【００１５】
ここで、操作片の押圧操作によって、この操作片の基端部近傍も内側方向に傾動し、この傾動に伴って、操作片の内側面基端部近傍に突設した突片の先端部が、この先端部に近接対向位置する当接片の片面を押し、その結果板状の当接片の下部が斜め内側に変位した姿勢となる。
【００１６】
さらにここで、当接片の下端面が装着体の上端部の段差部上端面に近接対向位置した構成であるので、上記のような作用による当接片の変位により、当接片の下端面が段差部上端面から外れて、当接片下端面と段差部上端面との当接状態が解除され、当接片の下降が可能となり、その結果操作体をさらに前方に傾動下降変位させることが可能となり、容器体の注出ノズルの押し下げ、開放が可能となる。
【００１７】
上記のように操作片の基端部近傍に当接片と共に突片を配置し、装着体の上端面に形成した段差部と組み合わせることにより簡単な構造ではありながら、誤動作防止の作用効果が発揮されると共に、操作片の押圧により使用者が意識することなくこの防止機構を解除して注出操作を達成することができる。
【００１８】
次に注出ノズルが押し下げられると、容器体内から内容液が噴出され、噴出された内容液は段付き孔から注出路を経て注出口から外部に注出される。
【００１９】
請求項２記載の発明の手段は、請求項１記載の発明において、装着体の上端に、注出ノズルが突出する開口部を中央に開設した頂壁を設け、この開口部の開口縁を段差部として、組み立て状態で当接片の下端面を、頂壁上面の開口部の開口縁直近位置に近接対向位置するように構成すること、にある。
【００２０】
請求項２記載の上記構成により、特に段差部を付設することなく、開口部の開口縁を段差部として利用することができる。
【００２１】
請求項３記載の発明の手段は、請求項１記載の発明において、装着体の上端に、注出ノズルが突出する開口部を中央に開設した頂壁を設け、この頂壁の上面に突条片を付設し、この突条片を段差部として、組み立て状態で当接片下端面を、突条片の上端面に近接対向位置するように構成すること、にある。
【００２２】
請求項３記載の上記構成により、装着体、操作体等の形状、組付き状態に合わせて突条片の高さ、断面形状、付設位置等を変えることにより最適な段差部の形成が可能であり、より確実な誤動作防止および、操作体のスムーズな傾動下降を達成することができる。
【００２３】
請求項４記載の発明の手段は、請求項１、２または３記載の発明において、容器体をエアゾール式とすること、にある。
【００２４】
請求項４記載の上記構成により、高圧で内容液が勢い良く噴出するエアゾール式の容器体においても、誤動作による内容液の噴出が確実に防止され、安全に使用することができ、一対の容器体を使用する場合には注出ノズルを操作片の押圧操作により操作体により等しく押し下げられるので、両容器の内容液の混合を均一に達成することが可能となる。
【００２５】
請求項５記載の発明の手段は、請求項１、２、３または４記載の発明のおいて、左右に並列に隣接組み合わせた一対の容器体を用い、装着体が前記一対の容器体の上端部に外嵌し、注出路に一対の注出ノズルが密嵌する一対の段付き孔を開設した構成とすること、にある。
【００２６】
上記請求項５記載の構成は、左右に並列に隣接組み合わせた一対の容器体を用いるものであり、一対の注出ノズルを操作片の押圧操作により等しく押し下げられるので、両容器の内容液を同時に一定の量比で噴出させることできると共に、両段付き孔と注出口を連通する注出路での両内容液の混合が可能となる。
【００２７】
請求項６記載の発明の手段は、請求項５記載の発明において、注出口を形成する注出筒に混合棒片を起立設すること、にある。
【００２８】
請求項６記載の上記構成により、混合棒片の混合作用により両容器体の内容液の混合をより均一に達成することができる。
【００２９】
請求項７記載の発明の手段は、請求項１、２、３または４記載の発明において、１ケの容器体を用いること、にある。
【００３０】
請求項７記載の構成は１ケの容器体を用いるものであり、誤動作が確実に防止され、操作片の押圧により使用者が意識することなく誤動作防止機構を解除して注出操作を達成することができる、今までにない容器体１ケから構成される注出容器を提供することができる。
【００３１】
請求項８記載の発明の手段は、請求項１、２、３、４、５、６または７記載の発明において、多数の櫛歯片を立設し操作体の注出路の注出口に連通した開口を有する櫛体を操作体に取り付けたこと、にある。
【００３２】
請求項８記載の上記構成により、内容液を直接櫛歯片に注出することができるので、この櫛体で頭髪を梳くことにより、注出した内容液をそのまま頭髪に塗布することができ、またこの塗布操作は、内容液を小出しに注出しながら、連続的に行うことができるので、頭髪全体に対して内容液を均等に塗布することが容易である。
【００３３】
請求項９記載の発明の手段は、請求項１、２、３、４、５、６または７記載の発明において、注出路の注出口に連通した開口を有する短筒状の嵌合筒片を操作体に取り付け、この嵌合筒片に塗布体を組付け固定したこと、にある。
【００３４】
請求項９記載の上記構成により、両内容液を塗布体に直接注出するので、塗布体を使用しての内容液の塗布を、きわめて簡単に行うことができ、また内容液の注出を小出しに連続的に行うことにより、内容液の均一な塗布を達成し易くなる。
【００３５】
【発明の実施の形態】
以下、本発明の一実施例を、図面を参照しながら説明する。
図１〜８は本願発明の注出容器の第１実施例を示す。本第１実施例では装着体３１は外装筒３２と結合リング体４１を、また操作体２０はキャップ体１１と通路ブロック体２１をそれぞれ組付け結合して構成したものであり（例えば図２参照）、図３および図４はこれらキャップ体１１、外装筒３２、通路ブロック体２１および結合リング体４１を分解した状態で示したものである。
【００３６】
エアゾール式容器である容器体５１は、細長有底円筒状をした金属製本体の縮径した口部に、弁による開閉機能部を備えた注出ノズル５３を有する金属製あるいは硬質樹脂製のキャップをカシメ固定して頭部５２を形成し、注出ノズル５３は、この頭部５２の上面に起立した状態となっている。
【００３７】
装着体３１は本第１実施例においては、左右に並列に隣接配置された一対の容器体５１上端部に外嵌する長円筒状の外装筒３２と、この外装筒３２内にアンダーカット状に組付き固定する結合リング体４１の２ケの部材から構成される。
【００３８】
長円筒状の外装筒３２は、上端から長円筒形状の垂下筒片３４を垂下連設し、この垂下筒片３４の下端から内鍔状に開口部３５を開設した頂壁３４ａを連設しており、また前面の中央部分では、垂下筒片３４にコ字形状の前部切欠部３７ａを形成すると共に、後述する操作片１７を収める凹部３６を形成し、この凹部３６の左右に位置する外装筒３２の外表面と操作片１７の外側表面が平坦に揃った状態になるようにしている。
【００３９】
また、外装筒３２の後面中央部の垂下筒片３４にコ字形状の後部切欠部３７ｂ形成すると共に、この後部切欠部３７ｂにより形成される左右の切欠端面３８には後述するキャップ体１１の蝶番１９の軸ピン１９ａを挿入するためのピン孔３８ａが形成されている。
【００４０】
二つの容器体５１は、結合リング体４１により、隣接して組合せ固定されるが、この結合リング体４１（特に図８参照）は、容器体５１の頭部５２に、係止突条４５によりアンダーカット結合状に外嵌組付きする一対の嵌着筒片４２の上端を平板状の連結板４３で一体に連結し、両嵌着筒片４２の頂板に相当する部分に、容器体５１の注出ノズル５３が突き抜ける開口４４を開設し、外装筒３２に係止する係止片４６を突設して構成されている。
【００４１】
また、このリング結合体４１は、一対の容器体５１の頭部５２に外嵌することにより、この一対の容器体５１の隣接した並列組付き姿勢を安定して確保し、外装筒３２の組付けに先立つ、一対の容器体５１に対するシュリンクラベルの装着を、良好な状態で達成できるようにしている。
【００４２】
通路ブロック体２１は、注出筒２８を上面中央に立設し、容器体５１の注出ノズル５３が突き抜け不能に密嵌入する一対の段付き孔２３を下面左右端部に開設し、内部に注出筒２８が形成する注出口と両段付き孔２３とを連通する注出通路２４を形成した構成であり、本実施例および後述する第２、第３実施例においては上部ブロック体２２と下部ブロック体２６を嵌合組付けして形成されている。（特に図５参照）
【００４３】
キャップ体１１は、有頂で略長円筒状の本体筒１２の頂板１４の中央部に吐出口１５を形成し、この吐出口１５の開口縁から、下端部に注出筒２８を密嵌入させる通路筒１６ａを垂下設し、この通路筒１６ａにより通路ブロック体２１に組付き固定して操作体２０を構成する。（特に図５参照）
【００４４】
本体筒１２の後面中央下端から斜め下方外側方向に、左右両側に一対の軸ピン１９ａを付設した蝶番片１９が垂下設されており、この蝶番片１９を、軸ピン１９ａをピン孔３８ａに挿入しながら、外装筒３２の後部切欠部３７ｂの左右の切欠端面３８間にはめ込み、ヒンジ結合部３９を形成し（図６参照）、キャップ体１１を前方への傾動可能に装着体３１に組付ける。
【００４５】
また、本体筒１２の前面中央下端部にはコ字状の前部切欠部１２ａが形成され（図３参照）、この前部切欠部１２ａを形成する上端縁部を基端として、斜め下方外側に延出設した肩片１８を介して操作片１７が垂下設されている。
【００４６】
また、斜辺を肩片１８の内側の湾曲状の斜面に沿って上下方向に位置させて、直角を形成する一方の面を内側向き略鉛直方向に形成した鉛直面１８ｄとして、上記肩片１８の内側表面から断面が略直角３角形状の突片１８ａが突設されている。（特に図７（ａ）参照）
【００４７】
また、前部切欠部１２ａを形成する上端面から、片面を突片１８ａの鉛直面１８ｄに近接対向させた状態で、板状の当接片１８ｂが延垂下設されており、この当接片１８ｂの下端面１８ｃは突片１８ａの下端面から突出させた状態である。なお、当接片１８ｂは後述するように、操作片１７の押圧操作により突片１８ａに押されてその下部が斜め内側に変位するが、この変位を容易にするため、適度に薄板状にすることが好ましい。
【００４８】
なお、キャップ体１１は、操作片１７を図４の２点鎖線で示した様に、上方に持ち上げた状態で射出成形することができる。
【００４９】
本第１実施例では、先端に櫛体１を取付けて使用する例を示しおり、櫛体１の組付き固定のためにキャップ体１１の頂板１４には嵌着段部１３ａが形成され、さらに長円筒状の嵌合筒片１３ｂが立設されているが、この頂板１４を上から覆って、嵌着段部１３ａに外嵌する半長球弧殻状のドーム筒３内に、嵌合筒片１３ｂに密に嵌入する密嵌筒片４を垂下設し、ドーム筒３の上面に、左右方向に等間隔に配列した多数の櫛歯片１ａを立設し、各櫛歯片１ａ間のドーム筒３の壁部分に吐出孔５を開設した櫛体１が、キャップ体１１に組付けられている。（図５、６参照）
【００５０】
以下に注出容器の組立ての一例を示す。（図３、４、５、６参照）
結合リング体４１により左右に隣接組合せされた一対の容器体５１の上方から外装筒３２を被せ、結合リング体４１の係止片４６にアンダーカット結合させて組付ける。
【００５１】
次に、予め注出筒２８に通路筒１６ａを密外嵌させてキャップ体１１内に通路ブロック体２１を組付けた状態で、注出ノズル５３を段付き孔２３に密嵌入させると共に、ヒンジ結合部３９を介してキャップ体１１を外装筒３１に組み付け、さらに、櫛体１をキャップ体１１に取り付け、組み立てが完了する。
【００５２】
組立てが完了した状態では、通路ブロック体２１とキャップ体１１との組合せ物は、注出ノズル５３により押し上げられた状態となっており、操作片１７はその上部を、外装筒３２の前面中央に位置する凹部３６内に、凹部３６の底面から押圧操作の距離分、離れた状態で位置させ、垂下している。なお本第１実施例では操作片１７の外表面と外装筒３２の前面の、凹部３６の左右に位置する外表面面とが略平坦になるように構成としている。（図６参照）
【００５３】
上記の様に、操作片１７を凹部３６に収めると、外装筒３２の前面の、この凹部３６の左右に位置する面により、操作片１７への不正な動作を防止することができ、他の物品の操作片１７に対する引っ掛かりにより、キャップ体１１の姿勢が傾動変位するのを防止すると共に、容器が他の物品に前後から挟まれた状態となっても、操作片１７が押圧されるのを確実に防止する。
【００５４】
また、キャップ体１１の本体筒１２の前部切欠部１２ａを形成する上端面から垂下設された当接片１８ｂの下端面１８ｃは、外装筒３２の頂壁３４ａ上面の開口部３５の開口縁直近に近接対向位置し、この開口縁部が段差部３３を形成する。（図６、図７（ａ）参照）
【００５５】
上記のような状態で、たとえばキャップ体１１を誤って上から押したり、吐出口に櫛体１を取り付ける際にキャップ体１１に大きな力が下方に作用しても、当接片１８ｂの下端面１８ｃが外装筒３２の頂壁３４ａ上面に当接するので、これら誤動作によるキャップ体１１の下降すなわち注出ノズル５３の押圧による内容液の注出を確実に防ぐことができる。
【００５６】
また、容器を掴持した片手の親指で操作片１７を押圧すると、この押圧部を力点、ヒンジ結合部３９を支点、段付き孔２３と注出ノズル５３の嵌合部を作用点とした梃子の原理で、キャップ体１１と共に通路ブロック体２１が傾動下降変位する。
【００５７】
ここで、操作片１７の押圧操作によって肩片１８も内側方向に傾動し、この肩片１８の傾動に伴って、肩片１８の内側面に突設した突片１８ａの鉛直面１８ｄが下方斜め内側に傾動し、さらにこの鉛直面１８ｄの傾動により、突片１８の鉛直面１８ｄに近接対向して垂下設された板状の当接片１８ｂの下部が斜め内側に傾動変位した姿勢となる。
【００５８】
さらにここで、当接片１８ｂの下端面１８ｃは外装筒３２の頂壁３４ａ上面の開口部３５の開口縁直近に近接対向位置した構成であるので（図７（ａ）参照）、上記のような作用による当接片１８ｂの傾動変位により、当接片１８ｂの下端面１８ｃが頂壁３４ａの上面から外れて開口部３５に移動して（図７（ｂ）参照）、当接片１８ｂ下端面１８ｃと頂壁３４ａ上面の当接状態が解除され、開口部３５の開口縁に沿っての当接片１８ｂの下降が可能となり（図７（ｃ）参照）、その結果キャップ体１１を傾動下降することができ、通路ブロック体２１を介しての、容器体５１の注出ノズル５３の押し下げ、開放が可能となる。
【００５９】
上記のように肩片１８の基端部近傍に当接片１８ｂと共に突片１８ａを配置し、段差部３３と組み合わせることにより、簡単な構造ではありながら、誤動作防止の作用効果が確実に発揮されると共に、操作片１７の押圧により使用者が意識することなくこの防止機構を解除して注出操作を達成することができる。
【００６０】
両容器体５１から注出された内容液は、通路ブロック体２１内の注出路２４を通って注出筒２８からキャップ体１１の通路筒１６ａ内に入り、混合されながら吐出口１５より注出される。
【００６１】
本第１実施例においては、キャップ体１１の頂板１４を上から覆って、櫛体１が取り付けられており、両内容液が吐出口１５から混合された状態で頂板１４上に吐出され、そのまま吐出孔５から各櫛歯片１ａ間に注出されるので、内容液を櫛体１を使って直接頭髪に塗布することができる。
【００６２】
図９は、本発明の第２実施例を示すもので、キャップ体１１に櫛体１を設けることなく、頂板１４の上面に、吐出口１５の開口縁部から通路筒１６ａを上方に延長して吐出筒１６ｂを立設したもので、両内容液は、混合された状態で一体に棒状に注出される。
【００６３】
図１０は、本発明の第３実施例を示すもので、第２実施例の吐出筒１６ｂの上端に、拡径して有底短円筒状となった嵌合筒片１３ｃを連設し、この嵌合筒片１３ｃ内に、連続気泡を有するスポンジとか不織布等の塗布体２を、その一部を上方に突出させた状態で嵌入固定している。また、本実施例では注出筒２８に多数の傾斜した鍔状片を設けた混合棒片２９を起立設した構成としており、この混合棒片２９の作用により両内容液の混合均一性をより高めた状態で塗布することができる。
【００６４】
この第３実施例において、吐出筒１６ｂから嵌合筒片１３ｃ内に注出された内容液は、塗布体２を浸透して、この塗布体２上面に滲み出るので、塗布体２による内容液の塗布が、行い易いものとなる。
【００６５】
図１１〜１５は本願発明の注出容器の第４実施例で、１ケの容器体５１を用いた場合の一実施例であり、容器体５１、装着体３１、操作体２０の部材から構成される。また、容器体５１は他の実施例同様のエアゾール式の容器体であり、装着体３１および操作体２０はそれぞれ１部材である。
【００６６】
本第４実施例の装着体３１においては、第１実施例に比較して、構成としては１部材であること、１ケの容器体５１に合わせた形状としていること、外装筒３２の頂壁３４ａに段差部３３を形成する突条片３３ａを突設している点が主として異なる点である。
【００６７】
操作体２０は、有頂筒状のキャップ筒６１の頂板６２の中央に開口部６５を形成し、この開口部６５の開口周縁から注出筒２８を立設すると共に、この注出筒２８を下方に延長して、注出路２４を形成し、下端部に段付き孔２３を形成する注出路筒６３を垂下設し、キャップ筒６１の後面から延出設したヒンジ片６４およびヒンジ結合部３９を介して、外装筒３２の後部上端部に組付き結合し、前面から肩片１８を介して操作片１７を垂下設した構成である。
【００６８】
容器体５１、装着体３１および操作体２０を組付けた状態で、当接片１８ｂの下端面１８ｃが外装筒３２の頂壁３４ａに付設した突条片３３ａの上端面に近接対向位置した状態となる。（図１５（ａ）参照）
【００６９】
上記のような配置により、段差部３３を形成する突条片３３ａの上端面と当接片１８ｂの下端面１８ｃの当接により誤動作防止の作用効果が発揮されると共に、操作片１７の押圧により、突片１８ａにより当接片１８ｂの下部が斜め内側に変形し、当接状態が解除されることにより、使用者が意識することなくこの防止機構を解除して注出操作を達成することができる。（図１５（ｂ）、（ｃ）参照）
【００７０】
なお、第４実施例で示した注出容器においても、注出筒２８を介して櫛体あるいは塗布体を取り付けて使用することもできる。
【００７１】
【発明の効果】
本発明は、上記した構成となっているので、以下に示す効果を奏する。
請求項１記載の発明にあっては、操作片の基端部近傍に当接片と共に突片を配置し、装着体の段差部と組み合わせることにより、簡単な構造ではありながら、誤動作防止の作用効果が発揮されると共に、操作片の押圧により使用者が意識することなくこの防止機構を解除することができ、注出操作を達成することができる。
【００７２】
請求項２記載の発明にあっては、特に段差部を付設することなく、開口部の開口縁を段差部として利用することができる。
【００７３】
請求項３記載の発明にあっては、装着体、操作体等の形状、組付き状態に合わせて突条片の高さ、断面形状、付設位置等を変えることにより最適な段差部の形成が可能であり、より確実な誤動作防止および、操作体のスムーズな傾動下降を達成することができる。
【００７４】
請求項４記載の発明にあっては、高圧で内容液が勢い良く噴出するエアゾール式容器体においても、誤動作による内容液の噴出を確実に防止することができ、安全に使用することができる。
【００７５】
請求項５記載の発明にあっては、一対の注出ノズルを操作片の押圧操作により等しく押し下げられるので、両容器の内容液を同時に一定の量比で噴出させることできると共に、両段付き孔と注出口を連通する注出路での両内容液の混合が可能となる。
【００７６】
請求項６記載の発明にあっては、混合棒片の混合作用により両容器体の内容液の混合をより均一に達成することができる。
【００７７】
請求項７記載の発明にあっては、１ケの容器体を用いるものであり、誤動作が確実に防止され、操作片の押圧により使用者が意識することなく誤動作防止機構を解除して注出操作を達成することができる、今までにない容器体１ケから構成される注出容器を提供することができる。
【００７８】
請求項８記載の発明にあっては、内容液を直接櫛歯片に注出することができるので、この櫛体で頭髪を梳くことにより、注出した内容液をそのまま頭髪に塗布することができ、またこの塗布操作は、内容液を小出しに注出しながら、連続的に行うことができるので、頭髪全体に対して内容液を均等に塗布することが容易である。
【００７９】
請求項９記載の発明にあっては、両内容液を塗布体に直接注出するので、塗布体を使用しての内容液の塗布を、きわめて簡単に行うことができ、また内容液の注出を小出しに連続的に行うことにより、内容液の均一な塗布を達成し易くなる。
【図面の簡単な説明】
【図１】本発明の第１実施例を示す、一部半縦断した正面図。
【図２】図１に示した実施例の、一部縦断側面図。
【図３】図１に示した実施例を部材に分解して、それぞれ半縦断正面図て示した説明図。
【図４】図１に示した実施例を部材に分解して、それぞれ縦断、一部半縦断あるいは半縦断した側面図で示した説明図。
【図５】図１に示した実施例の要部縦断拡大正面図。
【図６】図１に示した実施例の要部縦断拡大側面図。
【図７】図１に示した実施例における操作片押圧の際の傾動変位の過程を要部縦断側面図で示した、説明図
【図８】図１に示した実施例の、結合リング体の平面図。
【図９】本発明の第２実施例を示す、一部半縦断した正面図。
【図１０】本発明の第３実施例を示す、一部半縦断した正面図。
【図１１】本発明の第４実施例を示す、一部半縦断した正面図。
【図１２】図１１に示した実施例の、上面図（ａ）、および一部縦断側面図（ｂ）。
【図１３】図１１に示した実施例の操作体を示す、上面図（ａ）、縦断側面図（ｂ）および半縦断正面図（ｃ）。
【図１４】図１１に示した実施例の装着体を示す、上面図（ａ）、縦断側面図（ｂ）および半縦断正面図（ｃ）。
【図１５】図１１に示した実施例における操作片押圧の際の傾動変位の過程を要部縦断側面図で示した、説明図
【符号の説明】
１    ；  櫛体
１ａ  ；  櫛歯片
２    ；  塗布体
３    ；  ドーム筒
４    ；  密嵌筒片
５    ；  吐出孔
１１  ；  キャップ体
１２  ；  本体筒
１２ａ；  前部切欠部
１３ａ；  嵌着段部
１３ｂ；  嵌合筒片
１３ｃ；  嵌合筒片
１４  ；  頂板
１５  ；  吐出口
１６ａ；  通路筒
１６ｂ；  吐出筒
１７  ；  操作片
１８  ；  肩片
１８ａ；  突片
１８ｂ；  当接片
１８ｃ；  下端面
１８ｄ；  鉛直面
１９  ；  蝶番
１９ａ；  軸ピン
２０  ；  操作体
２１  ；  通路ブロック体
２２  ；  上部ブロック体
２３  ；  段付き孔
２４  ；  注出通路
２６  ；  下部ブロック体
２８  ；  注出筒
２９  ；  混合棒片
３１  ；  装着体
３２  ；  外装筒
３３  ；  段差部
３３ａ；  突条片
３４  ；  垂下筒片
３４ａ；  頂壁
３５  ；  開口部
３６  ；  凹部
３７ａ；  前部切欠部
３７ｂ；  後部切欠部
３８  ；  切欠端面
３８ａ；  ピン孔
３９  ；  ヒンジ結合部
４１  ；  結合リング体
４２  ；  嵌着筒片
４３  ；  連結板
４４  ；  開口
４５  ；  係止突条
４６  ；  係止片
５１  ；  容器体
５２  ；  頭部
５３  ；  注出ノズル
６１  ；  キャップ筒
６２  ；  頂板
６３  ；  注出路筒
６４  ；  ヒンジ片
６５  ；  開口部
【図１】
2005014977.tif 000003
【図２】
2005014977.tif 000004
【図３】
2005014977.tif 000005
【図４】
2005014977.tif 000006
【図５】
2005014977.tif 000007
【図６】
2005014977.tif 000008
【図７】
2005014977.tif 000009
【図８】
2005014977.tif 000010
【図９】
2005014977.tif 000011
【図１０】
2005014977.tif 000012
【図１１】
2005014977.tif 000013
【図１２】
2005014977.tif 000014
【図１３】
2005014977.tif 000015
【図１４】
2005014977.tif 000016
【図１５】
2005014977.tif 000017